(57)【要約】      （修正有）【課題】第１部材と第２部材との離間を防止する結合具、及び前記結合具が前記第２部材から離れるのを防止する押え具を利用した部材の取付構造において、第２部材の着脱の際における部品の紛失を防ぐ。【解決手段】基材６２を幕板５の上取付孔５９に取付け、この基材６２に更に係合突起６５を付ける。次にこの係合突起６５を使用位置Uに移動させ、係合部６５２を天板１の受孔１３Ｘに係合させて、テーパ結合部Ｔを機能させる。それから、クリップ６３を袖２の上幕板取付孔２Ｘ及び脚３の上幕板取付孔にそれぞれ係合させて、幕板５を脚３と袖２との間に架設する。【選択図】図１０
2006141485.tif 000002
【特許請求の範囲】
【請求項１】
第１部材と、この第１部材に特定端面を当接させた第２部材とを結合させるための部材取付構造であって、
前記第１部材に設けた第１係合凹部と、前記第２部材の前記特定端面に隣接する隣接端面に設けた第２係合凹部と、前記隣接端面の前記第２係合凹部よりも第１部材に近い位置に設けた外側係合凹部と、前記隣接端面の前記第２係合凹部よりも第１部材から遠い位置に設けた内側係合凹部と、一端部を第１係合凹部に係合させるとともに他端部を第２係合凹部に係合させて第２部材が第１部材から離間するのを防止する結合具と、この結合具に交差状態で相対動作可能に係合され基端部を前記外側係合凹部に回動可能に係合させるとともに先端部を内側係合凹部に係合させて前記結合具が前記隣接端面から離れるのを防止する押え具とを具備してなり、
前記押え具が、前記外側係合凹部に係合させた基端部を回動支点にして、前記結合具の一端部を第１係合凹部に係合させることができる開放位置と、該押え具の先端部を前記内側係合凹部に係合させることができる押え位置との間で回動し得るように構成していることを特徴とする部材取付構造。
【請求項２】
第１部材がデスクの脚要素であり、第２部材が前記脚要素に取り付けられる幕板であるとともに、前記第２部材の特定端面が前記幕板の側面であることを特徴とする請求項１記載の部材取付構造。
【請求項３】
前記結合具が、板状をなすとともに前記押え具を挿通可能な押え具挿通孔を有する本体と、本体の一端部から起立して設けられ前記第１係合凹部に係合可能な第１取付部と、本体の他端部から垂下して設けられ前記第２係合凹部に係合可能な第２取付部とを有するとともに、
前記押え具の基端部が、前記結合具との間で前記第２部材を挟持可能な挟持部を有することを特徴とする請求項１又は２記載の部材取付構造。
【請求項４】
前記挟持部の突出端に、幅寸法を拡開させて前記外側係合凹部の開口縁部に当接可能な係止ピンを形成していることを特徴とする請求項３記載の部材取付構造。
【請求項５】
前記外側係合凹部が、前記挟持部を形成した前記押え具の基端部の全体幅寸法と略一致する幅寸法を有する受入部と、この受入部に連通し、前記挟持部を形成した前記押え具の基端部のうち係止ピンを形成していない部分の幅寸法と略一致する幅寸法を有する係合部とを有することを特徴とする請求項４記載の部材取付構造。
【請求項６】
前記挟持部の突出端の幅寸法を弾性変形により変形可能に形成していることを特徴とする請求項４又は５記載の部材取付構造。
【発明の詳細な説明】
【技術分野】
【０００１】
本発明は、工具を用いずに、第１部材と、この第１部材に特定端面を当接させた第２部材とを結合させるための部材取付構造に関する。
【背景技術】
【０００２】
従来から、工具を用いずに、所定の動作で天板に脚要素を組み付けられるようにした天板付き家具が知られている。
【０００３】
具体的にこの種の天板付き家具は、例えば、天板下面の前部及び後部にそれぞれ設けられる連結孔と、該連結孔に対応する部位において脚要素の上端に突設される段付きピンとの係合によって、天板と脚要素とを連結し、その脚要素間に幕板を介挿して脚要素の天板に対する左右移動を禁止するように構成されている（例えば、特許文献１参照。）。
【特許文献１】特許２６７９６２８号公報
【発明の開示】
【発明が解決しようとする課題】
【０００４】
ところで、このような天板付き家具の脚要素に幕板を取り付ける際には、一端部を脚要素側に形成した第１係合凹部に係合させるとともに、他端部を幕板側に形成した第２係合凹部に係合させて第２部材が第１部材から離間するのを防止する結合具と、基端部を前記外側係合凹部、先端部を内側係合凹部にそれぞれ係合させ、この結合具の一部に重合して取り付けられ、前記結合具が前記幕板から離れるのを防止する押え具とを用いる構成が考えられている。
【０００５】
ところで、このような幕板の取付構造を採用すると、幕板を脚要素から取り外す際には、押え具を完全に結合具及び幕板から離間させて取り外してから結合具を幕板及び脚要素から取り外す必要がある。このような取付構造では、結合具を取り外す作業の間に押え具を他の場所に一時的に保管する必要があるが、結合具を取り外す作業の間に押え具を見失って紛失する不具合が発生し得る。
【０００６】
このような不具合は、天板付き家具への幕板の取付構造に限らず、第１部材に、板状をなす第２部材を、上述したような結合具及び押え具を介して工具を用いずに取り付ける場合には一般に発生し得る。
【０００７】
本発明は、このような課題を解決すべく構成するものである。
【課題を解決するための手段】
【０００８】
すなわち、本発明に係る部材取付構造は、第１部材と、この第１部材に特定端面を当接させた第２部材とを結合させるための部材取付構造であって、前記第１部材に設けた第１係合凹部と、前記第２部材の前記特定端面に隣接する隣接端面に設けた第２係合凹部と、前記隣接端面の前記第２係合凹部よりも第１部材に近い位置に設けた外側係合凹部と、前記隣接端面の前記第２係合凹部よりも第１部材から遠い位置に設けた内側係合凹部と、一端部を第１係合凹部に係合させるとともに他端部を第２係合凹部に係合させて第２部材が第１部材から離間するのを防止する結合具と、この結合具に交差状態で相対動作可能に係合され基端部を前記外側係合凹部に回動可能に係合させるとともに先端部を内側係合凹部に係合させて前記結合具が前記隣接端面から離れるのを防止する押え具とを具備してなり、前記押え具が、前記外側係合凹部に係合させた基端部を回動支点にして、前記結合具の一端部を第１係合凹部に係合させることができる開放位置と、該押え具の先端部を前記内側係合凹部に係合させることができる押え位置との間で回動し得るように構成していることを特徴とする。
【０００９】
このようなものであれば、前記押え具が、前記結合具に交差状態で相対動作可能に係合して前記結合具が前記第２部材から離れるのを防止しているとともに、前記押え具が、前記外側係合凹部に係合させた基端部を回動支点にして、前記結合具の一端部を下幕板取付孔に係合させることができる開放位置と、該押え具の先端部を前記内側係合凹部に係合させることができる押え位置との間で回動し得るように構成しているので、押え具を結合具と重合させて取り付けるだけの従来の態様と異なり、これら押え具及び結合具を前記第２部材に取り付けたまま前記第２部材の着脱が可能になる。すなわち、前記第２部材の収納の際にこれら押え具及び結合具が紛失してしまう不具合の発生も抑えることができる。加えて、前記押え具が、前記結合具に交差状態で相対動作可能に係合して前記結合具が前記第２部材から離れるのを防止していることから、押え具を結合具と重合させて取り付けるだけの従来の態様と比較して、これら押え具及び結合具を取り外しにくくすることもできる。
【００１０】
このような部材取付構造の好適な使用の形態の一例として、第１部材がデスクの脚要素であり、第２部材が前記脚要素に取り付けられる幕板であるとともに、前記第２部材の特定端面が前記幕板の側面であるものが挙げられる。
【００１１】
さらに、このような部材取付構造を簡単な構成で好適に実現するための態様として、前記結合具が、板状をなすとともに前記押え具を挿通可能な押え具挿通孔を有する本体と、本体の一端部から起立して設けられ前記第１係合凹部に係合可能な第１取付部と、本体の他端部から垂下して設けられ前記第２係合凹部に係合可能な第２取付部とを有するとともに、前記押え具の基端部が、前記結合具との間で前記第２部材を挟持可能な挟持部を有するものが挙げられる。
【００１２】
特に、前記挟持部の突出端に、幅寸法を拡開させて前記外側係合凹部の開口縁部に当接可能な係止ピンを形成しているものであれば、この挟持部を形成した押え具の第２部材への着脱を容易にできるとともに、前記係止ピンを中心に回動可能な構成を容易に実現できる。
【００１３】
特に、前記外側係合凹部が、前記挟持部を形成した前記押え具の基端部の全体幅寸法と略対応する幅寸法を有する受入部と、この受入部に連通し、前記挟持部を形成した前記押え具の基端部のうち係止ピンを形成していない部分の幅寸法と略一致する幅寸法を有する係合部とを有するものであれば、この挟持部を形成した押え具を前記受入部に挿入し、スライド移動させて係止ピンを係合部の開口縁部に係合させることにより、前段で述べたような構成を容易に実現できる。
【００１４】
また、前記挟持部の突出端の幅寸法を弾性変形により変形可能に形成しているものであれば、前記外側係合凹部の最大幅寸法を前記挟持部の突出端の最大幅寸法より小さくして、押え具の抜脱を防ぐことができる。
【発明の効果】
【００１５】
本発明に係る部材の取付構造を採用すれば、押え具を結合具と重合させて取り付けるだけの従来の態様と異なり、これら押え具及び結合具を前記第２部材に取り付けたまま前記第２部材の着脱が可能になる。すなわち、前記第２部材の収納の際にこれら押え具及び結合具が紛失してしまう不具合の発生も抑えることができる。
【発明を実施するための最良の形態】
【００１６】
以下、本発明の一実施形態を、図面を参照して説明する。
【００１７】
本発明に係る天板付き家具たるデスクＡは、図１、図２等に示すように、天板１と、天板１に着脱可能に結合され得る請求項中の第１部材たる袖２及び脚体３（以下、「脚要素Ａ１」と総称する。）と、天板１と袖２との結合状態が解除されるのを防止するための解除防止機構たるファスナ４と、天板１下方の空間を外部空間から区画し袖２及び脚体３を連結する請求項中の第２部材たる幕板５と、幕板５の上端部を天板１及び脚要素Ａ１に接続する一対の上幕板取付部材６と、幕板５の下端部を脚要素Ａ１に接続する一対の下幕板取付部材７とを具備してなる。以下、各部を詳述する。
【００１８】
天板１は、図１、図３、図４、図５等に示すように、略矩形状の面板部１１の前縁、後縁及び側縁が下面側に垂下した構造をなすもので、その下面に、天板１の幅方向に延びるチャンネル状の前部架材１２、後部架材１３及び２本の中間架材１４を添設している。
【００１９】
前部架材１２は、その両端が天板１の側縁に当接し、その前端が天板１の前縁に当接する位置に固設されている。後部架材１３は、その両端が天板１の側縁に当接し、その後端が天板１の後縁から内側へ若干退避した位置に固設されている。中間架材１４は両端が天板１の側縁に当接すると共に、前部架材１２と後部架材１３の間を略等間隔で区分する位置に固設されている。そして、これら架材の下面は略面一にされ、袖２及び脚体３の上端に対する均等な添設状態を確保している。
【００２０】
また、前部架材１２に、左右対称に配されるようにした６つの第１係合孔Ｋ１を形成している。これら６つの第１係合孔Ｋ１のうち、両端からそれぞれ数えて１番目の第１係合孔Ｋ１は脚体３の取り付けに専ら用いるものであり、また、２番目及び３番目の第１係合孔Ｋ１は袖２の取り付けに専ら用いるものである。
【００２１】
各第１係合孔Ｋ１は、肉厚方向に穿設されたもので、図４に示すように、受入部Ｋ１１と第１係合部Ｋ１２とで構成されるダルマ形状を成している。受入部Ｋ１１は、天板１に脚要素Ａ１を当接させる初期動作に伴って、後述する第1係合突起Ｔ１を受け入れるものであり、また、第１係合部Ｋ１２は、前記初期動作と異なる方向に脚要素Ａ１を天板１に対して相対移動させる中間動作に伴って、後述する第1係合突起Ｔ１が係合するものである。
【００２２】
さらに、本実施形態では、両端からそれぞれ数えて２番目と３番目の第１係合孔Ｋ１の間に、係止孔Ｊを設けている。この係止孔Ｊは、第１係合部Ｋ１２と同様、肉厚方向に穿設されたものであって、略矩形状を成している。
【００２３】
また、後部架材１３に、図３に示すように、左右対称に配されるようにした２つの外側第２係合孔Ｋ２と、２つの内側第２係合孔Ｋ３とを形成している。なお、外側第２係合孔Ｋ２は、脚体３又は袖２の取付に用いるものであり、内側第２係合孔Ｋ３は、袖２の取付に専ら用いるものである。
【００２４】
より具体的に、各外側第２係合孔Ｋ２は、肉厚方向に穿設されたもので、図５等に示すように、外側待機部Ｋ２１と外側第２係合部Ｋ２２とで構成されるＬ字状を成している。外側待機部Ｋ２１は、前記中間動作に伴って後述する第２係合突起Ｔ２を受け入れるものであり、また、外側第２係合部Ｋ２２は、前記第１係合孔Ｋ１に後述する第1係合突起Ｔ１が係合した状態を維持しつつ脚要素Ａ１を天板１に対して相対移動させる最終動作に伴って後述する第２係合突起Ｔ２が係合するものである。なお、外側待機部Ｋ２１の前端は、後部架材１３の前面に開口させてある。
【００２５】
各内側第２係合孔Ｋ３は、肉厚方向に穿設されたもので、図５等に示すように、内側待機部Ｋ３１と内側第２係合部Ｋ３２とで構成される直線状を成している。内側待機部Ｋ３１は、前記中間動作に伴って、後述する第２係合突起Ｔ２を受け入れるものであり、また、内側第２係合部Ｋ３２は、前記第１係合孔Ｋ１に後述する第1係合突起Ｔ１が係合した状態を維持しつつ袖２を天板１に対して相対移動させる最終動作に伴って、後述する第２係合突起Ｔ２が係合するものである。なお、内側待機部Ｋ３１の前端は、後部架材１３の前面に開口させてある。また、２つの内側第２係合孔Ｋ３を天板１の後端側から見た際に、ハの字状を成すように、各内側第２係合孔Ｋ３を、天板１の後端縁に対して傾斜させている。
【００２６】
袖２は、図１、図６、図７等に示すように、物品を収容可能な３段の引出し２１と、これら引出し２１を出し入れ可能に保持する筐体２２と、筐体２２の各隅部に床と接して天板１の天板１面における水平レベル調整をするためのアジャスタ２３とを備えるものであって、中段の引出し２１に設けた鍵穴２１１を利用して施錠すると、全引出し２１を筐体２２より引き出すことができないようにされている。
【００２７】
より具体的には、引出し２１は、上方に開口する直方体状の収納部２１２と、この収納部２１２の前面に設けた鏡板２１３とを具備している。
【００２８】
筐体２２は、図示しない薄板金属板を素材とし、アジャスタ２３を下方から取り付け得るアジャスタ取付部２２１ａを各隅部に設けた平面視略矩形状の底板２２１と、この底板２２１の左右各側縁からそれぞれ一体に屈曲起立させた一対の側板２２２と、同様に前記底板２２１の後縁から屈曲起立させた後板２２３と、左右一対の側板２２２の前縁側同士間に横架させた前側頂板２２４と、左右一対の側板２２２の後縁側同士間に横架させた後側頂板２２５とからなる略直方体形状を成すもので、引出し２１を出し入れ可能に保持できるよう、その前方は開口させてある。
【００２９】
前側頂板２２４は、図６、図７、図１０に示すように、断面視略下向きコ字状を有するものであって、平面視略矩形状の頂壁要素２２４１と、この頂壁要素２２４１の前端縁及び後端縁からそれぞれ垂下させた前壁要素２２４２及び後壁要素２２４３とを備えてなる。そして、前壁要素２２４２の下端部を内側に向けて略直角に屈曲させるとともに、後壁要素２２４３の下端部を外側上方に向けて略４５度に屈曲させてある。
【００３０】
また、前側頂板２２４の左右両端側には、前記第１係合部Ｋ１２と係合可能な第1係合突起Ｔ１をそれぞれ１個ずつ設けている。この第1係合突起Ｔ１は、天板１の第１係合部Ｋ１２の径よりも小径な第１軸部Ｔ１１と、天板１の受入部Ｋ１１を通過可能で且つ第１係合部Ｋ１２よりも大径な第１頭部Ｔ１２とから構成されており、第１軸部Ｔ１１の突出寸法は天板１の前部架材１２の肉厚に略等しいか僅かに大きい値に設定してある。
【００３１】
加えて本実施形態では、前側頂板２２４の略中央部には、その裏面側から、後述するファスナ４の第１、第２爪要素４４を差し込むための３つの貫通孔Ｘを設けている。３つの貫通孔Ｘのうち、前側頂板２２４の後端に沿うように配した２つの貫通孔Ｘ（以下、「後端側貫通孔ＸＢ」と称する。）は、互いに同一の形状を有する平面視略矩形状のものであり、これに第1爪要素４２が差し込まれる。また、前側頂板２２４の前端に沿うように配した貫通孔Ｘ（以下、「前端側貫通孔ＸＦ」と称する。）は、前記後端側貫通孔ＸＢよりも若干拡開させた平面視略矩形状のものであり、これに第２爪要素４４が差し込まれる。
【００３２】
さらに、後側頂板２２５の左右両端側には、外側第２係合部Ｋ２２又は内側第２係合部Ｋ３２と係合可能な第２係合突起Ｔ２をそれぞれ１個ずつ設けている。この第２係合突起Ｔ２は、天板１の外側第２係合部Ｋ２２及び内側第２係合部Ｋ３２の幅よりも小径な第２軸部Ｔ２１と、外側待機部Ｋ２１及び内側待機部Ｋ３１を通過可能で且つ天板１の外側第２係合部Ｋ２２及び内側第２係合部Ｋ３２の幅よりも大径な第２頭部Ｔ２２とから構成されており、第２軸部Ｔ２１の突出寸法は天板１の後部架材１３の肉厚に略等しいか僅かに大きい値に設定してある。
【００３３】
脚体３は、図１、図２に示すように、偏平筐状の脚支柱３１に上部ステー３２及び下部ステー３３を一体に固設した側面視略コ字状を成すもので、前記上部ステー３２の上面で天板１を添設支持するようにしている。
【００３４】
上部ステー３２の上面の前端側には、天板１の第１係合部Ｋ１２と係合可能な図示しない第1係合突起Ｔ１を設け、後端側には、天板１の外側第２係合部Ｋ２２と係合可能な図示しない第２係合突起Ｔ２を設けている。なお、脚体３に設けたこれら第1係合突起Ｔ１及び第２係合突起Ｔ２は、袖２に設けたものと同様の構成であるので説明を省略する。
【００３５】
幕板５は、スチール製のもので、図１、図２に示すように、特定端面、本実施形態では両端面が、脚体３及び袖２の内面に添設しているとともに、天板対向面、すなわち本実施形態では上面と天板１の裏面との間に隙間を形成し得る位置に配されてなる。また、この幕板５の上隅部付近に対応する部位の正断面図を図８、この幕板５の下隅部付近に対応する部位の正断面図を図９、この幕板５の上隅部の天板１及び袖２への取り付け態様を示す分解斜視図を図１０、この幕板５の下隅部の袖２への取り付け態様を示す分解斜視図を図１１にそれぞれ示すように、この幕板５の天板対向面、すなわち本実施形態では上面の左右両端部には、前記上幕板取付部材６を取り付けるための上取付孔５ａを設けているとともに、左右両側面の上部には、この幕板５を前記脚要素Ａ１、すなわち脚体３又は袖２に取り付けるための側面固定孔５ｂをそれぞれ設けている。さらに、この幕板５の下面の左右両端近傍には、前記下幕板取付部材７を取り付けるための下取付孔５ｃを設けている。そして、前記下幕板取付部材７を取り付けるための孔として、左右両側の前記下取付孔５ｃよりさらに幕板の左右両端寄りにそれぞれ変位し脚要素Ａ１に近寄る位置に外側係合孔５ｄ、左右両側の結合具取付孔５ｃからこの幕板５の幅方向中央に向けて変位した位置に前記下幕板取付部材７を取り付けるための内側係合孔５ｅをそれぞれ、前記下取付孔５ｃの他に設けている。一方、前記脚要素Ａ１たる袖２の内側面の上部の側面固定孔５ｂと対応する位置には、上幕板取付孔２ｘを、また、この上幕板取付孔２ｘの直下で幕板５の下端に対応する位置には、下幕板取付孔２ｙを形成している。そして、前記脚要素Ａ１たる脚体３の内側面の上部の側面固定孔５ｂと対応する位置には、図示しない上幕板取付孔を、また、この上幕板取付孔の直下で幕板５の下端に対応する位置には、図示しない下幕板取付孔を形成している。なお、前記幕板５の下面は、請求項中における第２部材の隣接端面に相当する。また、前記下幕板取付孔、前記下取付孔５ｃ、前記外側係合孔５ｄ、及び前記内側係合孔５ｅは、それぞれ請求項中の第１係合凹部、第２係合凹部、外側係合凹部、及び内側係合凹部としての機能を有する。
【００３６】
上幕板取付部材６は、前記図８及び図１０に示すように、前記上取付孔５ａに取り付けられる係合突起取付部材たる基材６２、前記側面固定孔５ｂを通過して脚要素Ａ１に取り付けられる脚連結体係止具たるクリップ６３、及びこれら基材６２とクリップ６３とを接続する結合帯６４を一体に構成した幕板上固定具６１と、前記基材６２に、天板１に向けて突出する使用位置Ｕと前記幕板５の上面と略又は完全に平行となる収納位置Ｓとの間を回動可能に取り付けられる係合突起６５とを具備する。
【００３７】
前記幕板上固定具６１は、可撓性を有する樹脂により全体を形成していて、平面図を図１２の（ａ）、側面図を同図の（ｂ）、正面図を同図の（ｃ）及びこの図１２におけるｘ−ｘ断面図を同図の（ｄ）に示すような形状をしている。
【００３８】
前記基材６２は、前記図１２に示すように、板状をなす板状部６２１と、この板状部６２１から垂下して設けられ、前記上取付孔５ａに係合可能な取付部６２２と、前記板状部６２１から起立して設けられ、前記係合突起６５と係合する係合軸６２３ａを備えた係合突起受部６２３とを有する。前記取付部６２２は、その前端部ないし後端部を平面視前記板状部６２１を越えてさらに前方ないし後方に張り出して係止部６２２ａを設けているとともに、この係止部６２２ａと反対側には、その幅方向中央部に弾性変形により突没可能な係止爪６２２ｂを設けている。そして、前記係止部６２２ａ及び係止爪６２２ｂが前記上取付孔５ａの開口縁部に当接してこの基材６２を幕板５の上面に固定している。
【００３９】
前記クリップ６３は、前記図１２に示すように、前記袖２の上幕板固定孔２ｘ又は前記脚体３の上幕板固定孔と、前記側面固定孔５ｂとを重合させた状態で、これら上幕板固定孔及び側面固定孔５ｂに挿入し、幕板５の上部を脚要素Ａ１、すなわち前記袖２及び前記脚体３に固定する。より具体的には、前記袖２又は前記脚体３に当接可能な板状部６３１と、この板状部６３１の一端部側から突出して設けられる取付部６３２とを有する。さらに詳述すると、前記取付部６３２の一端部側に、平面視前記板状部６３１を越えて張り出す係止部６３２ａを設けているとともに、前記取付部６３２の他端部側には、その幅方向中央部に弾性変形により突没可能な係止爪６３２ｂを設けている。そして、前記係止部６３２ａ及び係止爪６３２ｂが前記側面固定孔５ｂの開口縁部に当接し、前記板状部６３１と前記取付部６３２とにより幕板５及び脚要素Ａ１を挟み込むようにしている。
【００４０】
前記係合突起６５は、正面図を図１３の（ａ）、側面図を同図の（ｂ）にそれぞれ示すように、その基端部に切り欠き６５１ａを有し、この切り欠き６５１ａを前記基材６２の係合軸６２３ａに係合させてなるとともに、前記係合軸６２３ａを回転中心として回動可能な基体６５１と、この基体６５１から前記使用位置Ｕにおいてさらに天板１に向かう方向に突出して設けられ、テーパ面６５２ａを有する係合部６５２とを具備する。
【００４１】
また、本実施形態では、前記図８に示すように、前記係合突起６５を利用して、脚要素Ａ１の左右方向への移動を禁止するテーパ結合部Ｔを設けている。具体的には、天板１の裏面、より正確には前記後部架材１３の下面に、前記係合突起６５の係合部６５２と係合可能な受孔１３ｘを設けていて、前記係合突起６５と前記受孔１３ｘとを係合させた係合状態において、この係合突起６５が前記テーパ面６５２ａから前記脚要素Ａ１、すなわち脚体３又は袖２側に向かうテーパ作用を受け、前記天板１に密着するとともに、前記脚要素Ａ１に圧接して脚要素Ａ１の左右方向への移動を禁止するようにしている。
【００４２】
下幕板取付部材７は、前記図９及び図１１に示すように、一端部を前記袖２の下幕板取付孔２ｙ又は前記脚体３の下幕板取付孔に係合させてなるとともに、他端部を前記下取付孔５ｃに挿通させてなり、脚要素Ａ１と幕板５との離間を防ぐ機能を有する結合具７１と、この結合具７１に交差状態で相対動作可能に係合され、一端部を前記外側係合孔５ｄ、他端部を前記内側係合孔５ｅにそれぞれ係合させてなり、前記結合具７１が幕板５の下面から離れるのを防止する押え具７２とを具備する。
【００４３】
前記結合具７１は、１枚の金属板の両端部をそれぞれ相反する方向に屈曲させた板状をなし、板状をなすとともに平面視中央部に前記押え具７２を挿通可能な押え具挿通孔７１ｘを有する本体７１３と、本体７１３の一端部から起立して設けられ、前記袖２の下幕板取付孔２ｙ又は前記脚体３の下幕板取付孔に係合可能な対脚要素取付部７１１と、本体７１３の他端部から垂下して設けられ前記結合具取付孔５ｃに係合可能な対幕板取付部７１２とを備えている。
【００４４】
一方、前記押え具７２は、図１４の（ａ）に平面図、同図の（ｂ）に正面図、同図の（ｃ）に側面図、同図の（ｄ）に底面図をそれぞれ示すように、前記結合具７１と当接可能な押え部７２１と、前記押え部７２１の基端から突出して設けられ、前記押え具挿通孔７１ｘを通過して前記幕板５の外側係合孔５ｄと係合可能な外係合部７２２と、この押え部７２１の先端から突出して設けられ、前記幕板５の内側係合孔５ｅと係合可能な内係合部７２３とを有する。前記外係合部７２２の突出端部には、前記結合具７１及びこの押え具７２を幕板５に取り付けた取付状態において、前記幕板５の下面とほぼ平行であり、この前記結合具７１との間で前記幕板５を挟持可能な挟持部７２２１を形成していて、この挟持部７２２１と前記結合具７１との間に前記幕板５の下面が配されるようにしている。
【００４５】
さらに、前記挟持部７２２１の先端には、幅寸法を拡開させて係止ピン７２２ａを両側に形成しているとともに、その幅方向中央部に切り込み７２２ｘを形成していて、弾性変形により幅寸法を変化可能にしている。そして、前記押え具７２は、前記係止ピン７２２ａが前記幕板５の外側係合孔５ｄの開口縁部に当接した状態で、この係止ピン７２２ａ近傍を回動支点にして、前記結合具７１の一端部を前記下幕板取付孔に係合させることができる図１５に示すような開放位置から、挟持部７２２１の先端部を前記内側係合孔５ｅに係合させることができる前記図９に示したような押え位置との間を回動し得るように構成している。すなわち、前記押え具７２を開放位置に位置させた場合において、前記結合具７１を前記図１５の想像線に示す位置に移動させて該結合具７１と脚要素Ａ１との係合を解除できる。加えて本実施形態では、前記外側係合孔５ｄを、前記挟持部７２２１の係止ピン７２２ａを含む部分の幅寸法と略対応し、これよりわずかに小さな幅寸法を有する受入部５ｄ１と、この受入部５ｄ１の脚要素Ａ１側から連通して設けられ、前記挟持部７２２１の係止ピン７２２ａを含まない部分の幅寸法と略一致する幅寸法を有する係合部５ｄ２とを有するＴ字状に形成している。すなわち、この押え具７２は、前記受入部５ｄ１に挟持部７２２を通過させ、脚要素Ａ１側にスライドさせることにより係止ピン７２２ａが前記係合部５ｄ２の開口縁と当接して基端部、すなわち挟持部７２２を外側係合孔５ｄに係合可能にしているとともに、前記係止ピン７２２ａを中心に回動可能にしている。一方、前記内係合部７２３は、その先端部に前記内側係合孔５ｅの開口縁部と係合可能であり弾性変形により突没可能な係止爪を備えていて、着脱の際にこの係止爪を突没させるようにしている。
【００４６】
以下、デスクＡの組み立て方法及び各部の作用を具体的に説明する。
【００４７】
（１）天板１への袖２の筐体２２の取り付け
まず、天板１を裏返した状態で図示しない床等に置く。そして、天地を逆にした袖２の筐体２２を、袖２の筐体２２の第1係合突起Ｔ１と天板１の受入部Ｋ１１とが対向するように、天板１に対して位置付けた後、当該袖２の筐体２２を天板１に当接させるべく載置する。すると、袖２の筐体２２の第1係合突起Ｔ１が天板１の受入部Ｋ１１に挿入される。この動作が、「初期動作」に相当する。
【００４８】
次に、図１６に示すように、袖２の筐体２２を、天板１の前側から後側に向けてスライド移動させると、袖２の筐体２２の第1係合突起Ｔ１が天板１の第１係合部Ｋ１２に係合され、これら第1係合突起Ｔ１と第１係合部Ｋ１２とが、第1の結合機構ＡＸとして機能する状態になり、また、袖２の筐体２２の２つの第２係合突起Ｔ２が、内側待機部Ｋ３１及び外側待機部Ｋ２１に受け入れられる。この動作が、「中間動作」に相当する。
【００４９】
さらに、図１６に示すように、袖２の筐体２２を、第1係合突起Ｔ１が第１係合孔Ｋ１に係合した状態を維持しつつ、第１係合部Ｋ１２を回動中心として天板１裏面を沿うように回動動作させると、袖２の筐体２２の２つの第２係合突起Ｔ２が、外側第２係合部Ｋ２２及び内側第２係合部Ｋ３２に係合し、これら第２係合突起Ｔ２と内側第２係合部Ｋ３２とが、第２の結合機構ＡＹとして機能する状態になる。この動作が、「最終動作」に相当する。
【００５０】
（２）天板１への脚体３の取り付け
まず、天地を逆にした脚体３を、脚体３の第1係合突起Ｔ１と天板１の受入部Ｋ１１とが対向するように、裏返した状態の天板１に対して位置付けた後、当該脚体３を天板１に当接させるべく載置する。すると、脚体３の第1係合突起Ｔ１が天板１の受入部Ｋ１１に挿入される。この動作が、「初期動作」に相当する。
【００５１】
次に、図１７に示すように、脚体３を、天板１の前側から後側に向けてスライド移動させると、脚体３の第1係合突起Ｔ１が天板１の第１係合部Ｋ１２に係合され、これら第1係合突起Ｔ１と第１係合部Ｋ１２とが、第1の結合機構ＡＸとして機能する状態になり、また、脚体３の第２係合突起Ｔ２が、外側待機部Ｋ２１に受け入れられる。この動作が、「中間動作」に相当する。
【００５２】
さらに、図１７に示すように、脚体３を、第1係合突起Ｔ１が第１係合孔Ｋ１に係合した状態を維持しつつ、第１係合部Ｋ１２を回動中心として天板１裏面を沿うように回動動作させると、脚体３の第２係合突起Ｔ２が、外側第２係合部Ｋ２２に係合され、これら第２係合突起Ｔ２と外側第２係合部Ｋ２２とが、第２の結合機構ＡＹとして機能する状態になる。この動作が、「最終動作」に相当する。
【００５３】
なお、この脚体３の取り付け（２）は、袖２の筐体２２の取り付け（１）よりも先に行ってもよい。
【００５４】
（３）幕板５の取り付け
上述のようにして、天板１に袖２の筐体２２及び脚体３を取り付けた後、幕板５を、袖２の筐体２２及び脚体３の内面間に横架させる位置に取り付け固定する。
【００５５】
具体的には、まず、幕板５の上部に上幕板取付部材６を取り付ける。すなわち、前記基材６２を前記上取付孔５ａに取り付け、この基材６２にさらに係合突起６５を取り付ける。次に、この係合突起６５を前記使用位置Ｕに移動させ、この係合突起６５の係合部６５２を天板１の受孔１３ｘに係合させて前記テーパ結合部Ｔを機能させる。その際、前記係合突起６５の係合部６５２と前記天板１の受孔１３ｘとのテーパ作用によりこの係合突起６５と天板１とが密着して幕板５が天板１に仮保持される。また、前記テーパ作用を受けて係合突起６５が脚要素Ａ１すなわち前記袖２及び脚体３に圧接され、前記袖２及び脚体３が互いに離間する方向に作用を受け、前記第１係合突起の第１軸部Ｔ１１が前記第１係合部Ｋ１２の開口端に、また、前記第２係合突起の第２軸部Ｔ２１が前記外側第２係合部Ｋ２２又は内側第２係合部Ｋ３２の開口端にそれぞれ圧接され、前記袖２及び脚体３の左右移動が禁止される。
【００５６】
それから、クリップ６３を前記袖２の上幕板取付孔２ｘ及び前記脚体３の上幕板取付孔（図示略）にそれぞれ係合させて幕板５を脚３と袖２との間に架設する。
【００５７】
さらに、幕板５の下部に下幕板取付部材７を取り付ける。具体的には、結合具７１の対脚要素取付部７１１を前記袖２の下幕板取付孔２ｙ又は前記脚体３の下幕板取付孔に係合させ、対幕板取付部７１２を前記結合具取付孔５ｃに挿通させる。この状態で、幕板５の外側係合孔５ｄは、結合具７１の押え具挿通孔７１ｘと重合する。その後、前記押え具７２の外係合部７２２を前記結合具７１の押え具挿通孔７１ｘ及び外側係合孔５ｄに挿通させて前記係止ピン７２２ａを該外側係合孔５ｄの開口縁部に当接させ、そして、前記内係合部７２３を幕板５の内側係合孔５ｅと係合させて押え具７２を前記押え位置まで移動させ、前記押え部７２１を結合具７１と当接させる。
【００５８】
（４）その他
以上のようにして組み立ててきたものを、天地が正常となるように戻し、前記ファスナ４を取り付けてから前記引出し２１を取り付ける。
【００５９】
また、以下にデスクＡの分解及び収納方法を具体的に説明する。
【００６０】
（１）幕板５の取り外し及び収納
まず、前記押え具７２の内係合部７２３と幕板５の内側係合孔５ｅとの係合を解除し、前記押え具７２を前記開放位置まで移動させる。それから、前記結合具７１の対幕板取付部７１２を幕板５から離間させる方向に移動させ、該結合具７１の対脚要素取付部７１１と前記袖２の下幕板取付孔２ｙ又は前記脚体３の下幕板取付孔との係合を解除する。次に、前記クリップ６３と前記袖２の上幕板取付孔２ｘ及び前記脚体３の上幕板取付孔（図示略）との係合を解除する。そして、係合突起６５と後部架材１３の下面の係合孔１３ｘとの係合を解除し、幕板５を天板１及び脚要素Ａ１から完全に取り外す。そして、係合突起６５を収納位置Ｓに移動させるとともに、前記押え具７２を前記押え位置まで移動させ、上幕板取付部材６及び下幕板取付部材７を幕板５に取り付けたまま収納する。
【００６１】
（２）その他
その後、引出し２１及びファスナ４を取り外し、デスクＡを裏返して上述した組み立て方法の（１）及び（２）の逆の操作により、天板１から袖２の筐体２２及び脚体３を取り外して、天板１、袖２の引出し２１及び筐体２２、脚体３、及びファスナ４をそれぞれ収納する。なお、ファスナ４を取り外す操作、デスクＡを裏返す操作、及び前段で述べた分解・収納方法の（１）の操作の順序は、任意に変更してよい。また、係合突起６５を収納位置Ｓに移動させる操作、及び前記押え具７２を前記押え位置まで移動させる操作は、天板１から袖２の筐体２２及び脚体３を取り外す操作を終えてから行うようにしてももちろんよい。
【００６２】
このように、本実施形態に係るデスクＡの下幕板取付部材７のように構成すれば、この下幕板取付部材７の押え具７２が、前記結合具７１に交差状態で相対動作可能に係合して前記結合具７１が前記幕板５の下面から離れるのを防止しているので、押え具を結合具と重合させて取り付けるだけの従来の態様と比較して、この下幕板取付部材７を取り外しにくくできる。しかも、前記押え具７２が、前記外側係合孔５ｄに係合させた基端部すなわち外係合部７２２を回動支点にして、前記結合具７１の一端部を下幕板取付孔に係合させることができる開放位置と、該押え具７２の先端部を前記内側係合孔５ｅに係合させることができる押え位置との間で回動し得るように構成しているので、押え具７２が、前記結合具７１に交差状態で相対動作可能に係合していることと併せて、上述したデスクＡの分解及び収納方法において述べたように、この下幕板取付部材７を幕板５に取り付けたまま幕板の着脱が可能になる。すなわち、幕板５の収納の際にこの下幕板取付部材７が紛失してしまう不具合の発生も抑えることができる。
【００６３】
また、前記結合具７１が、板状をなすとともに前記押え具７２を挿通可能な押え具挿通孔７１ｘを有する本体７１３と、本体７１３の一端部から起立して設けられ前記下幕板取付孔２ｘに係合可能な第１取付部７１１と、本体７１３の他端部から垂下して設けられ前記下取付孔５ｃに係合可能な第２取付部７１２とを有するとともに、前記押え具７２の基端部が、前記結合具７１との間で前記幕板５を挟持可能な挟持部７２２１を有するので、前記押え具７２の押え部７２１と前記幕板５との間に前記結合具７１の本体７１３を位置づける一方、前記挟持部７２２１と前記結合具７１との間で前記幕板５を挟持させることにより、前記結合具７１と前記押え具７２とを交差状態にする上述した部材取付構造を簡単な構成で実現することができる。
【００６４】
さらに、前記挟持部７２２１の突出端に、幅寸法を拡開させて前記外側係合孔５ｄの開口縁部に当接可能な係止ピン７２２ａを形成しているので、この押え具７２の幕板５への着脱を容易にできるとともに、前記係止ピン７２２ａを中心に回動可能な構成を容易に実現できる。
【００６５】
特に、前記外側係合孔５ｄが、前記押え具７２の基端部すなわち挟持部７２２の全体幅寸法と略対応する幅寸法を有する受入部５ｄ１と、この受入部５ｄ１に連通し、前記押え具７２の基端部すなわち挟持部７２２のうち係止ピン７２２ａを形成していない部分の幅寸法と略対応する幅寸法を有する係合部５ｄ２とを有するＴ字状のものであるので、この押え具７２を前記受入部５ｄ１に挿入し、スライド移動させて係止ピン７２２ａを係合部５ｄ２の開口縁部に係合させることにより、前段で述べたような構成を容易に実現できる。
【００６６】
加えて、前記挟持部７２２の突出端の幅寸法を弾性変形により変形可能に形成しているとともに、前記外側係合孔５ｄの前記受入部５ｄ１の幅寸法を前記挟持部７２２の突出端の最大幅寸法より小さくしているので、押え具７２を前記受入部５ｄ１に挿入する際に弾性変形させて前記挟持部７２２の突出端の幅寸法を小さくし、スライド移動させて係合部５ｄ２と係合させる際には弾性変形を解除して前記挟持部７２２の突出端の幅寸法を最大幅寸法とすることにより、押え具７２の抜脱を防ぐことができる。
【００６７】
なお、本発明は、以上に詳述した実施形態に限られるものではない。
【００６８】
例えば、脚要素Ａ１として、施錠機構付きの引出し２１を備えた袖２と脚体３とを用いているが、この脚体３に替えて同様の袖２を用いるようにしてもよい。
【００６９】
また、前記挟持部７２２１の幅寸法を弾性変形により変形可能に形成しているものであれば、前記外側係合孔５ｄは必ずしもＴ字状に形成する必要はなく、前記挟持部７２２１の前記係合ピン７２２ａを含まない部分の幅寸法と一致する幅寸法を有する矩形状に形成してもよい。
【００７０】
一方、前記外側係合孔５ｄを、前記挟持部７２２１の係止ピン７２２ａを含む部分の幅寸法と略対応する幅寸法を有する受入部５ｄ１と、この受入部５ｄ１の脚要素Ａ１側から連通して設けられ、前記挟持部７２２１の係止ピン７２２ａを含まない部分の幅寸法と略一致する幅寸法を有する係合部５ｄ２とを有するＴ字状に形成しているものであれば、前記挟持部７２２１の先端は、必ずしも弾性変形により幅寸法を変更可能にしなくともよい。
【００７１】
そして、前記ファスナ４は省略してもよい。
【００７２】
加えて、上述したデスクＡにおける脚要素Ａ１への幕板５の取付構造と同様の構造を、第１部材として脚、第２部材として板状をなすパネル要素を有し、前記第１部材たる脚に前記第２部材たるパネル要素を支持させてなる可動間仕切壁におけるパネル要素の取付構造に採用してもよい。
【００７３】
その他、各部の具体的構成についても上記実施形態に限られるものではなく、本発明の趣旨を逸脱しない範囲で種々変形が可能である。
【図面の簡単な説明】
【００７４】
【図１】本発明の一実施形態に係るデスクを示す全体斜視図。
【図２】本発明の一実施形態に係るデスクを天地を逆にして示す全体斜視図。
【図３】同実施形態における天板の裏面側を示す図。
【図４】同実施形態における天板の後側要部の拡大斜視図。
【図５】同実施形態における天板の前側要部の拡大斜視図。
【図６】同実施形態における袖を見下ろした斜視図。
【図７】同実施形態における袖の前側要部の拡大斜視図。
【図８】同実施形態における幕板上隅部付近に対応する部位の正断面図。
【図９】同実施形態における幕板下隅部付近に対応する部位の正断面図。
【図１０】同実施形態における幕板上隅部の天板及び袖への取り付け態様を示す分解斜視図。
【図１１】同実施形態における幕板下隅部の天板及び袖への取り付け態様を示す分解斜視図。
【図１２】同実施形態における幕板上固定具を示す図。
【図１３】同実施形態における係合突起を示す図。
【図１４】同実施形態における下幕板取付部材の押え具を示す図。
【図１５】同実施形態における下幕板取付部材の動作を示す図。
【図１６】同実施形態における袖の天板への取り付けを模式的に示す図。
【図１７】同実施形態における脚体の天板への取り付けを模式的に示す図。
【符号の説明】
【００７５】
Ａ１…脚要素（第１部材）
２…袖（第１部材）
２ｙ…下幕板取付孔（第１係合凹部）
３…脚体（第１部材）
５…幕板（第２部材）
５ｃ…下取付孔（第２係合凹部）
５ｄ…外側係合孔（外側係合凹部）
５ｅ…内側係合孔（内側係合凹部）
７１…結合具
７２…押え具
７２２…外係合部
７２２１…挟持部
７２２ａ…係止ピン
７２３…内係合部
【図１】
2006141485.tif 000003
【図２】
2006141485.tif 000004
【図３】
2006141485.tif 000005
【図４】
2006141485.tif 000006
【図５】
2006141485.tif 000007
【図６】
2006141485.tif 000008
【図７】
2006141485.tif 000009
【図８】
2006141485.tif 000010
【図９】
2006141485.tif 000011
【図１０】
2006141485.tif 000012
【図１１】
2006141485.tif 000013
【図１２】
2006141485.tif 000014
【図１３】
2006141485.tif 000015
【図１４】
2006141485.tif 000016
【図１５】
2006141485.tif 000017
【図１６】
2006141485.tif 000018
【図１７】
2006141485.tif 000019